【手続補正書】
【提出日】平成16年12月2日(2004.12.2)
【手続補正１】
【補正対象書類名】明細書
【補正対象項目名】発明の名称
【補正方法】変更
【補正の内容】
【発明の名称】シンボルタイミング再生装置、シンボルタイミング再生方法、およびＯＦＤＭ受信機
【手続補正２】
【補正対象書類名】明細書
【補正対象項目名】特許請求の範囲
【補正方法】変更
【補正の内容】
【特許請求の範囲】
【請求項１】
直交周波数分割多重（ＯＦＤＭ）通信方式の１シンボル期間の受信信号を遅延させる遅延回路と、
前記遅延回路によって遅延された受信信号と遅延前の受信信号との間の自己相関を算出する自己相関算出回路と、
前記自己相関算出回路の出力から、移動平均の期間長を可変制御しながらの移動平均値を算出して実数部および虚数部を各々出力する移動平均回路と、
前記移動平均回路から出力された実数部出力および虚数部出力について、各々の絶対値同士の和を算出するか、あるいは、各々のべき乗同士の和を算出して出力する和算回路と、
前記和算回路の出力がピークとなる位置を検出するピーク位置検出回路と、
検出されたピークの位置により有効シンボル期間を判断してシンボルタイミングとなる位相信号を出力するタイミング信号発生回路と、
前記ピーク位置検出回路のピーク出力がばらつく期間を検出するばらつき期間検出回路とを備え、
前記移動平均回路は、前記ばらつき期間検出回路により検出されたばらつき期間に基づいて、前記移動平均回路の移動平均期間長を可変制御することを特徴とするシンボルタイミング再生装置。
【請求項２】
前記ばらつき期間検出回路により検出されたばらつき期間が、予め定められた所定値未満であるか否かを監視するばらつき期間監視回路を備え、
前記移動平均回路は、前記ばらつき期間監視回路により検出されたばらつき期間が予め定められた所定値未満である場合には、前記移動平均期間長を変化させないように制御することを特徴とする請求項１記載のシンボルタイミング再生装置。
【請求項３】
前記ばらつき期間検出回路により検出されたばらつき期間が、予め定められた所定値以上であるか否かを監視するばらつき期間監視回路を備え、
前記移動平均回路は、前記ばらつき期間監視回路により検出されたばらつき期間が予め定められた所定値以上である場合には、前記移動平均期間長を変化させないように制御することを特徴とする請求項１記載のシンボルタイミング再生装置。
【請求項４】
前記自己相関算出回路は、相関期間を微小区間に分割して自己相関値を出力し、
前記ばらつき期間検出回路によって得られたばらつき期間に基づいて、前記各微小区間毎に自己相関値を重み付けするための重み付け係数を発生させる重み付け係数発生回路と、
前記各微小区間毎の自己相関値に前記各重み付け係数を乗算して出力する重み付け回路を備えたことを特徴とする請求項１記載のシンボルタイミング再生装置。
【請求項５】
請求項１内視の何れかに記載のシンボルタイミング再生装置と、
ＯＦＤＭ受信信号に対して高速フーリエ変換を行うＦＦＴ回路とを備え、
該シンボルタイミング再生装置の出力に応じてＯＦＤＭ受信信号を高速フーリエ変換する際に用いるＦＦＴ窓位置を制御するように構成される
ことを特徴とするＯＦＤＭ受信機。
【請求項６】
請求項４に記載のシンボルタイミング再生装置と、
ＯＦＤＭ受信信号に対して高速フーリエ変換を行うＦＦＴ回路と、
該ＦＦＴ回路の出力に対して誤り訂正を行う誤り訂正回路とを備えるＯＦＤＭ受信機であって、
前記シンボルタイミング再生装置は、前記誤り訂正回路における誤り訂正の結果から算出される誤り率が最小であるか否かを監視する誤り率監視回路を更に備え、
前記重み付け係数発生回路は、前記誤り率監視回路の出力に応じて、前記誤り率が最小になるように重み付け係数を発生させることを特徴とするＯＦＤＭ受信機。
【請求項７】
請求項４に記載のシンボルタイミング再生装置と、
ＯＦＤＭ受信信号に対して高速フーリエ変換を行うＦＦＴ回路と、
該ＦＦＴ回路の出力に対してビタビ復号を行うビタビ復号回路とを備えるＯＦＤＭ受信機であって、
前記シンボルタイミング再生装置は、前記ビタビ複号回路において算出されるパスメトリック値が最小であるか否かを監視するパスメトリック値監視回路を更に備え、
前記重み付け係数発生回路は、前記パスメトリック値監視回路の出力に応じて、前記パスメトリック値が最小になるように重み付け係数を発生させることを特徴とするＯＦＤＭ受信機。
【請求項８】
請求項１に記載のシンボルタイミング再生装置と、
ＯＦＤＭ受信信号に対して高速フーリエ変換を行うＦＦＴ回路と、
該ＦＦＴ回路の出力に基づいてフィルタ係数を制御して伝送路を推定する伝送路推定回路とを備え、
該伝送路推定回路は、前記ばらつき期間検出回路により検出されたばらつき期間に基づいて前記フィルタ係数を可変制御することを特徴とするＯＦＤＭ受信機。
【請求項９】
直交周波数分割多重（ＯＦＤＭ）通信方式の１シンボル期間の受信信号を遅延させる遅延回路と、
前記遅延回路によって遅延された受信信号と遅延前の受信信号との間の自己相関を算出する自己相関算出回路と、
前記自己相関算出回路の出力から、移動平均の期間長を可変制御しながら移動平均値を算出して実数部および虚数部を各々出力する移動平均回路と、
前記移動平均回路から出力された実数部出力および虚数部出力について、各々の絶対値同士の和を算出するか、あるいは、各々のべき乗同士の和を算出して出力する和算回路と、
前記和算回路の出力がピークとなる位置を検出するピーク位置検出回路と、
受信信号に対して高速フーリエ変換を行うＦＦＴ回路と、
前記ピーク位置検出回路において検出されたピーク位置により有効シンボル期間を判断し、前記ＦＦＴ回路において前記受信信号を高速フーリエ変換する際に使用するＦＦＴ窓位置を制御するシンボルタイミングとなる位相信号を出力するタイミング信号発生回路と、
前記ＦＦＴ回路の出力に対して誤り訂正を行う誤り訂正回路と、
前記誤り訂正回路における誤り訂正の結果から算出される誤り率が最小であるか否かを監視する誤り率監視回路を備え、
前記移動平均回路は、前記誤り率監視回路により検出される誤り率が最小になるように、適応的に制御して前記移動平均回路の移動平均期間長を可変制御することを特徴とするＯＦＤＭ受信機。
【請求項１０】
直交周波数分割多重（ＯＦＤＭ）通信方式の１シンボル期間の受信信号を遅延させる遅延回路と、
前記遅延回路によって遅延された受信信号と遅延前の受信信号との間の自己相関を算出する自己相関算出回路と、
前記自己相関算出回路の出力から、移動平均の期間長を可変制御しながら移動平均値を算出して実数部および虚数部を各々出力する移動平均回路と、
前記移動平均回路から出力された実数部出力および虚数部出力について、各々の絶対値同士の和を算出するか、あるいは、各々のべき乗同士の和を算出して出力する和算回路と、
前記和算回路の出力がピークとなる位置を検出するピーク位置検出回路と、
受信信号に対して高速フーリエ変換を行うＦＦＴ回路と、
前記ピーク位置検出回路において検出されたピーク位置により有効シンボル期間を判断し、前記ＦＦＴ回路において前記受信信号を高速フーリエ変換する際に使用するＦＦＴ窓位置を制御するシンボルタイミングとなる位相信号を出力するタイミング信号発生回路と、
前記ＦＦＴ回路の出力に対してビタビ復号を行うビタビ復号回路と、
前記ビタビ複号回路において算出されるパスメトリック値が最小であるか否かを監視するパスメトリック値監視回路を備え、
前記移動平均回路は、前記パスメトリック値監視回路により検出されるパスメトリック値が最小になるように、適応的に制御して前記移動平均回路の移動平均期間長を可変制御することを特徴とするＯＦＤＭ受信機。
【請求項１１】
直交周波数分割多重（ＯＦＤＭ）通信方式の１シンボル期間の受信信号を遅延させる第１のステップと、
前記第１のステップによって遅延された受信信号と遅延前の受信信号との間の自己相関を算出する第２のステップと、
前記第２のステップの出力から、移動平均の期間長を可変制御しながらの移動平均値を算出して実数部および虚数部を各々出力する第３のステップと、
前記第３のステップで出力された実数部出力および虚数部出力について、各々の絶対値同士の和を算出するか、あるいは、各々のべき乗同士の和を算出して出力する第４のステップと、
前記第４のステップの出力がピークとなる位置を検出する第５のステップと、
第５のステップで検出されたピークの位置により有効シンボル期間を判断してシンボルタイミングとなる位相信号を出力する第６のステップと、
前記第５のステップのピーク出力がばらつく期間を検出する第７のステップとを有し、
前記第３のステップでは、前記第７のステップにより検出されたばらつき期間に基づいて、前記第３のステップの移動平均期間長を可変制御することを特徴とするシンボルタイミング再生方法。
【手続補正３】
【補正対象書類名】明細書
【補正対象項目名】０００９
【補正方法】変更
【補正の内容】
【０００９】
受信信号ＲＳにマルチパスを経由した遅延波が含まれると、図１４（ａ）に示したようにガードインターバル期間とそれに対応する有効シンボル期間最後部の相関期間の前部の影響期間Ａの相関が低くなり、加算器８の出力は図１２（ｂ）のような山型にはならず、図１４（ｂ）に示したように台形となって影響期間Ｂのピーク検出値が明確ではなくなる。つまり、遅延波の遅延量分だけピーク位置がばらつくことになる。その結果として、ピーク位置検出回路９で正しいシンボルタイミングの位相が得られなくなるという問題が発生する。
【手続補正４】
【補正対象書類名】明細書
【補正対象項目名】００１２
【補正方法】変更
【補正の内容】
【００１２】
【課題を解決するための手段】
上記した課題を解決するために、本発明のシンボルタイミング再生装置では、直交周波数分割多重（ＯＦＤＭ）通信方式の１シンボル期間の受信信号を遅延させる遅延回路と、遅延回路によって遅延された受信信号と遅延前の受信信号との間の自己相関を算出する自己相関算出回路と、自己相関算出回路の出力から、移動平均の期間長を可変制御しながら移動平均値を算出して実数部および虚数部を各々出力する移動平均回路と、移動平均回路から出力された実数部出力および虚数部出力について、各々の絶対値同士の和を算出するか、あるいは、各々のべき乗同士の和を算出して出力する和算回路と、和算回路の出力がピークとなる位置を検出するピーク位置検出回路と、検出されたピークの位置により有効シンボル期間を判断してシンボルタイミングとなる位相信号を出力するタイミング信号発生回路と、ピーク位置検出回路のピーク出力がばらつく期間を検出するばらつき期間検出回路とを備え、移動平均回路は、ばらつき期間検出回路により検出されたばらつき期間に基づいて、移動平均回路の移動平均期間長を可変制御することを特徴とする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００８１
【補正方法】変更
【補正の内容】
【００８１】
【発明の効果】
本発明によれば、遅延波によってガードインターバル部とそれに対応する有効シンボル期間最後部との相関が低くなることによる自己相関ピーク位置の検出値のばらつきを抑えることができ、シンボルタイミング位相検出の精度を向上させ、安定に動作させることができるという効果を奏する。
【手続補正１４】
【補正対象書類名】明細書
【補正対象項目名】００８２
【補正方法】削除
【補正の内容】
【手続補正１５】
【補正対象書類名】明細書
【補正対象項目名】００８３
【補正方法】削除
【補正の内容】
【手続補正１６】
【補正対象書類名】明細書
【補正対象項目名】００８４
【補正方法】削除
【補正の内容】
【手続補正１７】
【補正対象書類名】明細書
【補正対象項目名】００８５
【補正方法】削除
【補正の内容】
【手続補正１８】
【補正対象書類名】明細書
【補正対象項目名】００８６
【補正方法】削除
【補正の内容】
【手続補正１９】
【補正対象書類名】明細書
【補正対象項目名】００８７
【補正方法】削除
【補正の内容】
【手続補正２０】
【補正対象書類名】明細書
【補正対象項目名】００８８
【補正方法】削除
【補正の内容】
【手続補正２１】
【補正対象書類名】明細書
【補正対象項目名】００８９
【補正方法】削除
【補正の内容】